(57)【要約】      （修正有）【課題】フード付きパーカーを干す時に、大小２種類のフードを掛ける事が出来るようにしたハンガーを提供する。【解決手段】ハンガー本体７に固定され、このハンガー本体から上方に伸びたフック部２のほぼ中間部に同心円状のフード掛け大輪３およびフード掛け小輪４を備えたフード付きパーカー用ハンガーである。フード掛け大輪は大人用、フード掛け小輪は子供用とし、それらの大小の輪にフードを被せて掛けて、フック１を竿に引っ掛ける事により衣服のどの部位も重なることなく風通しが良く太陽光照射も充分に受け早く乾かす事が出来る。【選択図】図１
0003168642.tif 000002
【実用新案登録請求の範囲】
【請求項１】
ハンガー本体と、前記ハンガー本体にスライド可能に設けられたハンガースライド部と、前記ハンガー本体に固定されこのハンガー本体のほぼ中央部から上方に延在したフック部と、前記フック部の先端に設けられたフックと、前記フック部の中間部近傍に位置するように前記ハンガー本体に固定されたほぼ同心円状のフード掛け大輪およびフード掛け小輪とを備えたことを特徴とするフード付きパーカー用ハンガー。
【請求項２】
前記フード掛け大輪およびフード掛け小輪のほぼ中央部に固定され、かつ前記フック部と交叉するように固定された支持棒を更に備えたことを特徴とする請求項１記載のフード付きパーカー用ハンガー。
【考案の詳細な説明】
【技術分野】
【０００１】  本考案は、フード付きパーカーを容易に乾燥させることができるフード付きパーカー用ハンガーに関する。
【背景技術】
【０００２】  従来、フード付きパーカーを干す時は、一般に使われている普通のハンガーにフードを垂らしていた。
更にハンガーとフックとの間に円形枠部を設けてフードを掛けられるようにしたものがある（例えば特許文献１参照）。
【先行技術文献】
【特許文献】
【０００３】
【特許文献１】  特開２００３−１９９６６４号公報
【考案の概要】
【考案が解決しようとする課題】
【０００４】しかし従来のものは、次の様な問題があった。
（イ）フード付き衣類を洗濯して干す時には、ハンガーに掛けて干しても竿に袖を通して干してもフードが下に垂れ下がり首から肩の部分で重なる為に乾きが遅くなるという欠点があった。
（ロ）フードの部分を早く乾かす為にパーカーを上下逆さまに竿に掛けて干す方法もあるが、このようにするとパーカーの裾の部分をハンガーに幾つかの洗濯バサミ等で止めなければならないので、乾燥したパーカーの裾に洗濯バサミ等の跡が残ってしまうという欠点があった。
（ハ）又、特許文献１に示されたものは、輪が小さい為にフードを掛けてもフードの開口部の開きが小さくてフード全体が垂れ下がるので乾きにくいし、更に輪が１つしかないので大小のフードに対応することが出来ないという欠点があった。
【課題を解決する為の手段】
【０００５】  本考案は以上の問題を解決する為になされたものであり、第１の考案は、ハンガー本体と、このハンガー本体にスライド可能に設けられたハンガースライド部と、ハンガー本体に固定されこのハンガー本体のほぼ中央部から上方に延在したフック部と、フック部の先端に設けられたフックと、フック部の中間部近傍に位置するように前記ハンガー本体に固定されたほぼ同心円状のフード掛け大輪およびフード掛け小輪とを備えたフード付きパーカー用ハンガーである。
さらに第２の考案は、フード掛け大輪およびフード掛け小輪のほぼ中央部に固定され、かつフック部と交叉するように固定された支持棒を更に備えたフード付きパーカー用ハンガーである。
【考案の効果】
【０００６】  上記のように構成することによって、本考案は、フード掛け大輪は大人用、フード掛け小輪は子供用とし、それらの大小の輪にフードを被せて掛けて、フックを竿に引っ掛ける事により衣服のどの部位も重なることなく風通しが良く太陽光照射も充分に受け早く乾かす事が出来るものである。本考案によりフード付きパーカーを干す時には、フードをハンガー上部に取り付けた輪に被せることができるので、フード部分が乾きにくいということは無い。更にハンガーの上方でフック部に取り付けた輪は、大輪と小輪の２種類の輪を設けたので大人用の大きいフードでも子供用の小さなフードでも対応でき、充分効率良く乾燥させることが出来る。
さらに、フック部と交叉するように固定された支持棒を更に備えているので、フードを輪にかけた際、輪がフードの重みで壊れることを防止できるという効果を奏するものである。
【図面の簡単な説明】
【０００７】
【図１】  本考案のフード付きパーカー用ハンガーの一実施例を示す正面図である。
【図２】  同上の後面図である。
【図３】  同上の右側面図である。
【図４】  同上の左側面図である。
【図５】  同上の上面図である。
【図６】  同上の底面図である。
【考案を実施するための形態】
【０００８】  本考案にかかるフード付きパーカー用ハンガーの一実施例を図面を参照して詳細に説明する。
ハンガー本体７の右側腕部７ａと左側腕部７ｂの上部枠部にはそれぞれ枠部に沿って矢印Ａ方向にスライド可能な長尺のハンガースライド部８ａ、８ｂがそれぞれ取り付けられている。
【０００９】  これらハンガースライド部８ａと８ｂをスライドさせることにより肩幅が広い紳士用衣服の場合でも肩部の型崩れが起こることなく肩幅に合わせて衣服をハンガー本体７に掛ける事が出来る。
【００１０】  フック部２はその上部先端部に物干し竿等に掛ける為のフック１が形成されており、フック部２の下部側はハンガー本体７の上部中央に連結するように留めねじ９で固定されている。
【００１１】  更にフック部２の中間部近傍に位置するようにハンガー本体７に支持棒５ａによって固定された、大小２つの輪で構成されたフード掛け大輪３と、フード掛け小輪４とが設けられている。
【００１２】  ５は横棒で、フード掛け大輪３とフード掛け小輪４のほぼ中央部に複数の連結補強部６、６…で固定されている。
【００１３】  ハンガー本体７は右側腕部７ａと左側腕部７ｂとに設けられたハンガースライド部８をスライドすることにより肩幅の広い男性用大人サイズにも適応させることが出来る。ハンガー本体には衣服の身頃を掛けるものとする。
【００１４】  フード掛けを大小２つの輪３と４で構成したのは、洗濯したパーカーを干す時フード掛け大輪３は大人用、小輪４は小人用フードを掛けるのに適しているようにするためである。
なお、大輪３又は小輪４にフードを掛けた後で、フードの上から図示しない洗濯バサミ等で大輪３又は小輪４に固定すれば、強風時においてもフードが輪から外れてしまうことがない。
【００１５】  側面図からも分かるように、フック部２、フード掛け大輪３、フード掛け小輪４との各間隔は約３ｃｍずつ離れている。３ｃｍずつ離す理由は、たとえば冬物のパーカーは夏物のパーカーに比べて厚い生地で作られているので、フードを掛けて干す際更にフード上部を４〜５ｃｍ程折り返すことができるようにするためであり、このようにすることによってフードが輪から外れることがないようにする為である。
【符号の説明】
【００１６】１    フック
２    フック部
３    フード掛け大輪
４    フード掛け小輪
５    横棒
５ａ  支持棒
６    連結補強部
７    ハンガー本体
７ａ  右側腕部
７ｂ  左側腕部
８ａ  ハンガースライド部
８ｂ  ハンガースライド部
９    留めねじ
【図１】
0003168642.tif 000003
【図２】
0003168642.tif 000004
【図３】
0003168642.tif 000005
【図４】
0003168642.tif 000006
【図５】
0003168642.tif 000007
【図６】
0003168642.tif 000008